(57)【要約】【課題】インクの凝集による画質の劣化を抑制する。【解決手段】第１ノズルからカラーインクを吐出して媒体にカラードットを形成することによって、カラードットから構成される画像を媒体上に印刷するとともに、第２ノズルから加工液を吐出して媒体上の画像以外の領域に加工用ドットを形成することと、カラードット及び加工用ドットに電磁波を照射することと、カラードット及び加工用ドットに電磁波が照射された後、カラードット及び加工用ドットの上に加工液を塗布することと、カラードット及び加工用ドットの上に塗布された加工液に電磁波を照射することと、を有する。【選択図】図１３
2010179537.tif 000002
【特許請求の範囲】
【請求項１】
媒体に画像を印刷するためのカラーインクであって、電磁波が照射されると硬化するカラーインクを吐出する第１ノズルと、
媒体の表面を加工するための加工液であって、電磁波が照射されると硬化する加工液を吐出する第２ノズルと、
前記電磁波を照射する照射部と、
を用いた印刷方法であって、
前記第１ノズルから前記カラーインクを吐出して前記媒体にカラードットを形成することによって、カラードットから構成される画像を前記媒体上に印刷するとともに、前記第２ノズルから前記加工液を吐出して前記媒体上の前記画像以外の領域に加工用ドットを形成することと、
前記カラードット及び前記加工用ドットに前記電磁波を照射することと、
前記カラードット及び前記加工用ドットに前記電磁波が照射された後、前記カラードット及び前記加工用ドットの上に前記加工液を塗布することと、
前記カラードット及び前記加工用ドットの上に塗布された前記加工液に前記電磁波を照射することと、
を有する印刷方法。
【請求項２】
請求項１に記載の印刷方法であって、
カラードットから構成される画像を前記媒体上に印刷するとともに、前記媒体上の前記画像以外の領域に加工用ドットを形成する際に、前記カラードットと前記加工用ドットとが接触しないようにし、
前記媒体に形成された前記カラードットと前記加工用ドットとが接触する前に、前記照射部の前記電磁波を前記カラードット及び前記加工用ドットに照射することと、
を有する印刷方法。
【請求項３】
請求項２に記載の印刷方法であって、
前記媒体に形成された前記カラードットと前記加工用ドットとが接触する前に、前記カラードット及び前記加工用ドットの径が拡張できるような照射量で、前記カラードット及び前記加工用ドットに前記電磁波を照射し、
前記電磁波の照射後に前記カラードット及び前記加工用ドットの径が拡張することによって前記カラードットと前記加工用ドットとが接触した後に、更に前記カラードット及び前記加工用ドットに前記電磁波を照射する、印刷方法。
【請求項４】
請求項１〜３の何れかに記載の印刷方法であって、
前記カラードットが形成されてから前記照射部の前記電磁波が照射されるまでの時間、及び、前記加工用ドットが形成されてから前記照射部の前記電磁波が照射されるまでの時間の少なくとも一方に応じて、前記領域が決定される、印刷方法。
【請求項５】
請求項１〜４の何れかに記載の印刷方法であって、
前記第２ノズルとは別に、前記加工液を吐出する第３ノズルが設けられており、
前記第３ノズルよりも前記媒体の搬送方向の下流側に、前記照射部とは別の照射部が設けられており、
前記第３ノズルによって、前記カラードット及び前記加工用ドットの上に前記加工液が塗布され、
前記別の照射部によって、前記カラードット及び前記加工用ドットの上に塗布された前記加工液に前記電磁波が照射される、印刷方法。
【請求項６】
請求項５に記載の印刷方法であって、
前記第１ノズルは、所定のノズルピッチで並んでおり、
前記第３ノズルは、前記所定のノズルピッチよりも狭いノズルピッチで並んでいる、
印刷方法。
【請求項７】
媒体に画像を印刷するためのカラーインクであって、電磁波が照射されると硬化するカラーインクを吐出する第１ノズルと、
媒体の表面を加工するための加工液であって、電磁波が照射されると硬化する加工液を吐出する第２ノズルと、
前記電磁波を照射する照射部と、
前記第１ノズルから前記カラーインクを吐出させて前記媒体にカラードットを形成することによって、カラードットから構成される画像を前記媒体上に印刷するとともに、前記第２ノズルから前記加工液を吐出させて前記媒体上の前記画像以外の領域に加工用ドットを形成し、前記カラードット及び前記加工用ドットに前記照射部の前記電磁波を照射させた後、前記カラードット及び前記加工用ドットの上に前記加工液を塗布させ、前記カラードット及び前記加工用ドットの上に塗布された前記加工液に前記照射部の前記電磁波を照射させるコントローラーと、
を有する印刷装置。
【請求項８】
媒体に画像を印刷するためのカラーインクであって、電磁波が照射されると硬化するカラーインクを吐出する第１ノズルと、
前記画像の背景を印刷するための背景用インクであって、電磁波が照射されると硬化する背景用インクを吐出する第２ノズルと、
媒体の表面を加工するための加工液であって、電磁波が照射されると硬化する加工液を吐出する第３ノズルと、
前記電磁波を照射する照射部と、
を用いた印刷方法であって、
前記第１ノズルから前記カラーインクを吐出して前記媒体にカラードットを形成することによって、カラードットから構成される画像を前記媒体上に印刷するとともに、前記第２ノズルから前記背景用インクを吐出して、前記媒体上の前記画像以外の領域に背景用ドットを形成することと、
前記カラードット及び前記背景用ドットに前記電磁波を照射することと、
前記カラードット及び前記背景用ドットに前記電磁波が照射された後、前記カラードット及び前記背景用ドットの上に前記加工液を塗布することと、
前記カラードット及び前記背景用ドットの上に塗布された前記加工液に前記電磁波を照射することと、
を有する印刷方法。
【発明の詳細な説明】
【技術分野】
【０００１】
本発明は、印刷方法及び印刷装置に関する。
【背景技術】
【０００２】
電磁波（例えば紫外線（ＵＶ））の照射によって硬化するインク（例えばＵＶインク）を用いて印刷を行なう印刷装置が知られている。このような印刷装置では、ノズルから媒体（紙、フィルムなど）にインクを吐出した後、媒体に形成されたドットに電磁波を照射する。こうすることにより、ドットが硬化して媒体に定着するので、液体を吸収しにくい媒体に対しても良好な印刷を行うことができる（例えば特許文献１参照）。
【先行技術文献】
【特許文献】
【０００３】
【特許文献１】特開２０００-１５８７９３号公報
【発明の概要】
【発明が解決しようとする課題】
【０００４】
ＵＶインクで画像を印刷したときに、画像が印刷された領域と、画像が印刷されない領域との間で光沢性が異なることになる。そこで、無色透明なＵＶクリアインク（加工液の一種）を全面に塗布し、媒体の表面を均一な光沢にすることが考えられる。  
しかし、カラーインクで画像を形成した後に、クリアインクのような加工液を単に全面に塗布しただけでは、画像が印刷されていない領域でクリアインクが凝集してしまい、光沢が均一にならないことがある。  
本発明は、インクの凝集による画質の劣化を抑制することを目的とする。
【課題を解決するための手段】
【０００５】
上記目的を達成するための主たる発明は、媒体に画像を印刷するためのカラーインクであって、電磁波が照射されると硬化するカラーインクを吐出する第１ノズルと、媒体の表面を加工するための加工液であって、電磁波が照射されると硬化する加工液を吐出する第２ノズルと、前記電磁波を照射する照射部と、を用いた印刷方法であって、前記第１ノズルから前記カラーインクを吐出して前記媒体にカラードットを形成することによって、カラードットから構成される画像を前記媒体上に印刷するとともに、前記第２ノズルから前記加工液を吐出して前記媒体上の前記画像以外の領域に加工用ドットを形成することと、前記カラードット及び前記加工用ドットに前記電磁波を照射することと、前記カラードット及び前記加工用ドットに前記電磁波が照射された後、前記カラードット及び前記加工用ドットの上に前記加工液を塗布することと、前記カラードット及び前記加工用ドットの上に塗布された前記加工液に前記電磁波を照射することと、を有する印刷方法である。  
本発明の他の特徴については、本明細書及び添付図面の記載により明らかにする。
【図面の簡単な説明】
【０００６】
【図１】プリンターの構成を示すブロック図である。
【図２】印刷領域周辺の概略図である。
【図３】図３Ａ及び図３Ｂは、各ヘッドのノズル配置の説明図である
【図４】図４Ａ〜図４Ｃは、媒体上に着弾したＵＶインク（ドット）の形状と、ＵＶの照射タイミングの説明図である。
【図５】カラーインクだけで印刷した場合を示す説明図である（第１比較例）。
【図６】カラードットを形成しない画素にクリアドットを形成した場合を示す概略図である（第２比較例）。
【図７】本実施形態のドットの形成位置の説明図である。
【図８】本実施形態の本硬化時のドットの説明図である。
【図９】画像形成後に全面にクリアインクを塗布した場合を示す説明図である。
【図１０】画像形成後に全面にクリアインクを塗布した場合を示す説明図である。
【図１１】本実施形態の概略説明図である。
【図１２】プリンタードライバーが行なう処理のフロー図である。
【図１３】本実施形態のプリンター１による印刷処理のフロー図である。
【図１４】第２実施形態の印刷領域周辺の概略図である。
【図１５】図１５Ａ〜図１５Ｃは、第３実施形態の印刷領域周辺の概略図と、印刷動作の説明図である。
【図１６】第４実施形態のシリアルプリンターの斜視図である。
【図１７】第４実施形態のヘッド３２の構成の説明図である。
【図１８】第５実施形態の印刷領域周辺の概略図である。
【図１９】第５実施形態のプリンターによる印刷処理のフロー図である。
【発明を実施するための形態】
【０００７】
本明細書及び添付図面の記載により、少なくとも、以下の事項が明らかとなる。
【０００８】
媒体に画像を印刷するためのカラーインクであって、電磁波が照射されると硬化するカラーインクを吐出する第１ノズルと、媒体の表面を加工するための加工液であって、電磁波が照射されると硬化する加工液を吐出する第２ノズルと、前記電磁波を照射する照射部と、を用いた印刷方法であって、前記第１ノズルから前記カラーインクを吐出して前記媒体にカラードットを形成することによって、カラードットから構成される画像を前記媒体上に印刷するとともに、前記第２ノズルから前記加工液を吐出して前記媒体上の前記画像以外の領域に加工用ドットを形成することと、前記カラードット及び前記加工用ドットに前記電磁波を照射することと、前記カラードット及び前記加工用ドットに前記電磁波が照射された後、前記カラードット及び前記加工用ドットの上に前記加工液を塗布することと、前記カラードット及び前記加工用ドットの上に塗布された前記加工液に前記電磁波を照射することと、を有する印刷方法が明らかとなる。  
このような印刷方法によれば、画像以外の領域に加工用ドットを形成しているので加工液の凝集による画質の劣化を抑制することができる。
【０００９】
かかる印刷方法であって、カラードットから構成される画像を前記媒体上に印刷するとともに、前記媒体上の前記画像以外の領域に加工用ドットを形成する際に、前記カラードットと前記加工用ドットとが接触しないようにし、前記媒体に形成された前記カラードットと前記加工用ドットとが接触する前に、前記照射部の前記電磁波を前記カラードット及び前記加工用ドットに照射することが望ましい。  
このような印刷方法によればカラードットと加工用ドットとの間でインクの滲みによる画質の劣化を抑制することができる。
【００１０】
かかる印刷方法であって、前記媒体に形成された前記カラードットと前記加工用ドットとが接触する前に、前記カラードット及び前記加工用ドットの径が拡張できるような照射量で、前記カラードット及び前記加工用ドットに前記電磁波を照射し、前記電磁波の照射後に前記カラードット及び前記加工用ドットの径が拡張することによって前記カラードットと前記加工用ドットとが接触した後に、更に前記カラードット及び前記加工用ドットに前記電磁波を照射することが望ましい。  
このような印刷方法によれば、カラードット及び加工用ドットを拡張させた後にドットを固化しているので、カラードットと加工用ドットとの隙間が減少し、光沢をより均一にすることができる。
【００１１】
かかる印刷方法であって、前記カラードットが形成されてから前記照射部の前記電磁波が照射されるまでの時間、及び、前記加工用ドットが形成されてから前記照射部の前記電磁波が照射されるまでの時間の少なくとも一方に応じて、前記領域が決定されることが望ましい。  
このような印刷方法によれば、電磁波を照射する際にカラードットと加工用ドットが接触しないようにすることができる。
【００１２】
かかる印刷方法であって、前記第２ノズルとは別に、前記加工液を吐出する第３ノズルが設けられており、前記第３ノズルよりも前記媒体の搬送方向の下流側に、前記照射部とは別の照射部が設けられており、前記第３ノズルによって、前記カラードット及び前記加工用ドットの上に前記加工液が塗布され、前記別の照射部によって、前記カラードット及び前記加工用ドットの上に塗布された前記加工液に前記電磁波が照射されてもよい。  
このような印刷方法によれば、媒体を搬送方向に搬送させるのに従ってカラードットの形成、加工用ドットの形成、カラードットと加工用ドットが接触する前の電磁波の照射、カラードット及び加工用ドット上への加工液の塗布、塗布された加工液への電磁波の照射と順に行なうことができる。
【００１３】
かかる印刷方法であって、前記第１ノズルは、所定のノズルピッチで並んでおり、前記第３ノズルは、前記所定のノズルピッチよりも狭いノズルピッチで並んでいることが望ましい。  
このような印刷方法によれば、加工液を塗布する際に、高い密度でドットを形成することができ、媒体の表面に多少凹凸がある場合でも表面を均一にできる。
【００１４】
また、媒体に画像を印刷するためのカラーインクであって、電磁波が照射されると硬化するカラーインクを吐出する第１ノズルと、媒体の表面を加工するための加工液であって、電磁波が照射されると硬化する加工液を吐出する第２ノズルと、前記電磁波を照射する照射部と、前記第１ノズルから前記カラーインクを吐出させて前記媒体にカラードットを形成することによって、カラードットから構成される画像を前記媒体上に印刷するとともに、前記第２ノズルから前記加工液を吐出させて前記媒体上の前記画像以外の領域に加工用ドットを形成し、前記カラードット及び前記加工用ドットに前記照射部の前記電磁波を照射させた後、前記カラードット及び前記加工用ドットの上に前記加工液を塗布させ、前記カラードット及び前記加工用ドットの上に塗布された前記加工液に前記照射部の前記電磁波を照射させるコントローラーと、を有する印刷装置が明らかとなる。
【００１５】
また、媒体に画像を印刷するためのカラーインクであって、電磁波が照射されると硬化するカラーインクを吐出する第１ノズルと、前記画像の背景を印刷するための背景用インクであって、電磁波が照射されると硬化する背景用インクを吐出する第２ノズルと、媒体の表面を加工するための加工液であって、電磁波が照射されると硬化する加工液を吐出する第３ノズルと、前記電磁波を照射する照射部と、を用いた印刷方法であって、前記第１ノズルから前記カラーインクを吐出して前記媒体にカラードットを形成することによって、カラードットから構成される画像を前記媒体上に印刷するとともに、前記第２ノズルから前記背景用インクを吐出して、前記媒体上の前記画像以外の領域に背景用ドットを形成することと、前記カラードット及び前記背景用ドットに前記電磁波を照射することと、前記カラードット及び前記背景用ドットに前記電磁波が照射された後、前記カラードット及び前記背景用ドットの上に前記加工液を塗布することと、前記カラードット及び前記背景用ドットの上に塗布された前記加工液に前記電磁波を照射することと、を有する印刷方法が明らかとなる。  
このような印刷方法によれば、画像以外の領域に背景用ドットを形成しているので、加工液の凝集による画質の劣化を抑制することができる。
【００１６】
＝＝＝第１実施形態＝＝＝
第１実施形態では、印刷装置としてラインプリンター（プリンター１）を例に挙げて説明する。
【００１７】
＜プリンターの構成について＞
図１は、プリンター１の全体構成のブロック図である。また、図２は、印刷領域周辺の概略図である。
【００１８】
プリンター１は、紙、布、フィルム等の媒体に画像を印刷する印刷装置であり、外部装置であるコンピューター１１０と通信可能に接続されている。  
コンピューター１１０にはプリンタードライバーがインストールされている。プリンタードライバーは、表示装置（不図示）にユーザーインターフェイスを表示させ、アプリケーションプログラムから出力された画像データを印刷データに変換させるためのプログラムである。このプリンタードライバーは、フレキシブルディスクＦＤやＣＤ−ＲＯＭなどの記録媒体（コンピューター読み取り可能な記録媒体）に記録されている。または、このプリンタードライバーは、インターネットを介してコンピューター１１０にダウンロードすることも可能である。なお、このプログラムは、各種の機能を実現するためのコードから構成されている。  
そして、コンピューター１１０は、プリンター１に画像を印刷させるため、印刷させる画像に応じた印刷データをプリンター１に出力する。  
なお、「印刷装置」とは、媒体に画像を印刷する装置を意味し、例えばプリンター１が該当する。また、「印刷制御装置」とは、印刷装置を制御する装置を意味し、例えば、プリンタードライバーをインストールしたコンピューター１１０が該当する。
【００１９】
本実施形態のプリンター１は、液体の一例として、紫外線（以下、ＵＶ）の照射によって硬化する紫外線硬化型インク（以下、ＵＶインク）を吐出することにより、媒体に画像を印刷する装置である。ＵＶインクは、紫外線硬化樹脂を含むインクであり、ＵＶの照射を受けると紫外線硬化樹脂において光重合反応が起こることにより硬化する。なお、本実施形態のプリンター１は、ＣＭＹＫの４色のＵＶインク（カラーインク）と、無色透明のＵＶインク（クリアインク）を用いて画像を印刷する。
【００２０】
本実施形態のプリンター１は、搬送ユニット２０、ヘッドユニット３０、照射ユニット４０、検出器群５０、及びコントローラー６０を有する。外部装置であるコンピューター１１０から印刷データを受信したプリンター１は、コントローラー６０によって各ユニット（搬送ユニット２０、ヘッドユニット３０、照射ユニット４０）を制御して、印刷データに従って媒体に画像を印刷する。コントローラー６０は、コンピューター１１０から受信した印刷データに基づいて、各ユニットを制御し、媒体に画像を印刷する。プリンター１内の状況は検出器群５０によって監視されており、検出器群５０は、検出結果をコントローラー６０に出力する。コントローラー６０は、検出器群５０から出力された検出結果に基づいて、各ユニットを制御する。
【００２１】
搬送ユニット２０は、媒体（例えば、紙Ｓなど）を所定の方向（以下、搬送方向という）に搬送させるためのものである。この搬送ユニット２０は、上流側搬送ローラ２３Ａ及び下流側搬送ローラ２３Ｂと、ベルト２４とを有する。不図示の搬送モータが回転すると、上流側搬送ローラ２３Ａ及び下流側搬送ローラ２３Ｂが回転し、ベルト２４が回転する。給紙ローラ（不図示）によって給紙された媒体は、ベルト２４によって、印刷可能な領域（ヘッドと対向する領域）まで搬送される。ベルト２４が媒体を搬送することによって、媒体がヘッドユニット３０に対して搬送方向に移動する。印刷可能な領域を通過した媒体は、ベルト２４によって外部へ排紙される。なお、搬送中の媒体は、ベルト２４に静電吸着又はバキューム吸着されている。
【００２２】
ヘッドユニット３０は、媒体にＵＶインクを吐出するためのものである。なお、本実施形態では、ＵＶインクとして、画像を形成するためのカラーインクと無色透明のクリアインクを吐出する。ヘッドユニット３０は、搬送中の媒体に対して各インクを吐出することによって、媒体にドットを形成し、画像を媒体に印刷する。本実施形態のプリンター１はラインプリンターであり、ヘッドユニット３０の各ヘッドは媒体幅分のドットを一度に形成することができる。なお、図２に示すように、搬送方向の上流側から順に、ブラックのＵＶインクを吐出するブラックインクヘッドＫ、シアンのＵＶインクを吐出するシアンインクヘッドＣ、マゼンダのＵＶインクを吐出するマゼンダインクヘッドＭ、イエローのＵＶインクを吐出するイエローインクヘッドＹ、クリアインクを吐出する第１クリアインクヘッドＣＬ１及び第２クリアインクヘッドＣＬ２の各ヘッドが設けられている。なお、以下、カラーインクを吐出する各色のヘッドのことをカラーインク用ヘッドともいい、クリアインクを吐出する各ヘッドのことをクリアインク用ヘッドともいう。また、クリアインク用ヘッドのうち、第１クリアインクヘッドＣＬ１のことを単に第１ヘッドＣＬ１ともいい、第２クリアインクヘッドＣＬ２のことを単に第２ヘッドＣＬ２ともいう。  
なお、ヘッドユニット３０の構成の詳細ついては、後で説明する。
【００２３】
照射ユニット４０は、媒体に着弾したＵＶインクに向けてＵＶを照射するものである。媒体上に形成されたドットは、照射ユニット４０からのＵＶの照射を受けることにより、硬化する。本実施形態の照射ユニット４０は、仮硬化用照射部４２、及び本硬化用照射部４４を備えている。
【００２４】
仮硬化用照射部４２は、媒体に形成されたドットを仮硬化させるためのＵＶを照射する。なお、本実施形態において、仮硬化とは、ドット間の滲みを防止するために行なう硬化のことである。  
仮硬化用照射部４２は、クリアインク用ヘッドの第１ヘッドＣＬ１と第２ヘッドＣＬ２の間に設けられている。また、仮硬化用照射部４２の媒体幅方向の長さは媒体幅以上である。そして、仮硬化用照射部４２は、ヘッドユニット３０のカラーインク用ヘッド及び第１ヘッドＣＬ１によって形成されたドットにＵＶを照射する。  
本実施形態の仮硬化用照射部４２は、ＵＶ照射の光源として発光ダイオード（ＬＥＤ：Light Emitting Diode）を備えている。ＬＥＤは入力電流の大きさを制御することによって、照射エネルギーを容易に変更することが可能である。  
なお、仮硬化の詳細については後述する。
【００２５】
本硬化用照射部４４は、媒体に形成されたドットを本硬化させるためのＵＶを照射する。なお、本実施形態において、本硬化とは、ドットを完全に固化させるために行なう硬化のことである。  
本硬化用照射部４４は、第２ヘッドＣＬ２よりも搬送方向下流側に設けられている。また、本硬化用照射部４４の媒体幅方向の長さは媒体幅以上である。そして、本硬化用照射部４４は、ヘッドユニット３０の各ヘッドによって形成されたドットにＵＶを照射する。  
本実施形態の本硬化用照射部４４は、ＵＶ照射の光源として、ランプ（メタルハライドランプ、水銀ランプなど）を備えている。  
なお、本硬化の詳細については後述する。
【００２６】
検出器群５０には、ロータリー式エンコーダ（不図示）、紙検出センサ（不図示）などが含まれる。ロータリー式エンコーダは、上流側搬送ローラ２３Ａや下流側搬送ローラ２３Ｂの回転量を検出する。ロータリー式エンコーダの検出結果に基づいて、媒体の搬送量を検出することができる。紙検出センサは、給紙中の媒体の先端の位置を検出する。
【００２７】
コントローラー６０は、プリンターの制御を行うための制御ユニット（制御部）である。コントローラー６０は、インターフェイス部６１と、ＣＰＵ６２と、メモリー６３と、ユニット制御回路６４とを有する。インターフェイス部６１は、外部装置であるコンピューター１１０とプリンター１との間でデータの送受信を行う。ＣＰＵ６２は、プリンター全体の制御を行うための演算処理装置である。メモリー６３は、ＣＰＵ６２のプログラムを格納する領域や作業領域等を確保するためのものであり、ＲＡＭ、ＥＥＰＲＯＭ等の記憶素子を有する。ＣＰＵ６２は、メモリー６３に格納されているプログラムに従って、ユニット制御回路６４を介して各ユニットを制御する。
【００２８】
＜印刷動作について＞
プリンター１がコンピューター１１０から印刷データを受信すると、コントローラー６０は、まず、搬送ユニット２０によって給紙ローラ（不図示）を回転させ、印刷すべき媒体をベルト２４上に送る。媒体はベルト２４上を一定速度で停まることなく搬送され、ヘッドユニット３０、及び照射ユニット４０の下を通る。この間に、ヘッドユニット３０の各ヘッドのノズルからインクを断続的に吐出させることによって媒体にドットを形成するとともに、照射ユニット４０の各照射部からＵＶを照射させる。こうして媒体に画像が印刷される。そして、最後にコントローラー６０は、画像の印刷が終了した媒体を排紙する。
【００２９】
＜ヘッドの構成について＞
図２に示すように本実施形態のプリンター１はカラーインク用ヘッドとクリアインク用ヘッドと有している。  
カラーインク用ヘッドは、画像を印刷するためのＵＶインクをインク色毎に吐出する。本実施形態では、カラーインク用ヘッドとして、搬送方向の上流側から順に、ブラックインクヘッドＫ、シアンインクヘッドＣ、マゼンダインクヘッドＭ、イエローインクヘッドＹが設けられている。カラーインク用ヘッドは、クリアインク用ヘッド及び各照射部よりも搬送方向の上流側に設けられている。なお、カラーインク用ヘッドのノズル配置については後述する。
【００３０】
クリアインク用の第１ヘッドＣＬ１は、媒体の表面を加工するための加工液の一種である無色透明のクリアインクを吐出する。本実施形態では、第１ヘッドＣＬ１は画像以外の領域にクリアインクを吐出する。第１ヘッドＣＬ１は、カラーインク用ヘッドと仮硬化用照射部４２との間に設けられている。なお、第１ヘッドＣＬ１のノズル配置については後述する。  
クリアインク用の第２ヘッドＣＬ２は、媒体の全面にクリアインクを吐出（以下、塗布ともいう）する。第２ヘッドＣＬ２は、仮硬化用照射部４２と本硬化用照射部４４との間に設けられている。なお、第２ヘッドＣＬ２のノズル配置については後述する。
【００３１】
図３Ａ及び図３Ｂは、各ヘッドのノズル配置の説明図である。  
図３Ａは、カラーインク用ヘッド、若しくは、クリアインク用ヘッドの第１ヘッドＣＬ１のノズルの配置を示している。これらの各ヘッドは、図に示すように「Ａ列」「Ｂ列」の２個のノズル列を備える。  
各列のノズルは、搬送方向と交差する方向（ノズル列方向）に沿って、１／１８０インチの間隔（ノズルピッチ）で並んでいる。また、Ａ列のノズルのノズル列方向の位置と、Ｂ列のノズルのノズル列方向の位置は、半ノズルピッチ分（１／３６０インチ）だけずれている。これにより、１／３６０インチの解像度でカラードット、若しくは、クリアドットを形成可能になっている。
【００３２】
図３Ｂは、クリアインク用の第２ヘッドＣＬ２のノズルの配置を示している。第２ヘッドＣＬ２は、上流側ヘッドＣＬ２ａと下流側ヘッドＣＬ２ｂを備えている。上流側ヘッドＣＬ２ａ及び下流側ヘッドＣＬ２ｂは、それぞれ、前述のカラーインク用のヘッド若しくはクリアインク用の第１ヘッドＣＬ１と同様に、「Ａ列」「Ｂ列」の２個のノズル列を備えている。  
第２ヘッドＣＬ２において、上流側ヘッドＣＬ２ａのノズルのノズル列方向の位置と、下流側ヘッドＣＬ２ｂのノズルのノズル列方向の位置は、１／４ノズルピッチ分（１／７２０インチ）だけずれている。これにより、１／７２０インチの解像度で第２クリアドットを形成可能になっている。このように第２ヘッドＣＬ２は、カラーインク用の各ヘッド若しくはクリアインク用の第１ヘッドＣＬ１と比べて、ノズル列が２倍なので、高い密度でドットを形成することが可能である。
【００３３】
なお、これらの各ノズル列のノズル列方向の長さは、媒体幅分の長さ以上であり、これにより媒体幅分のドットを一度に形成することができる。
【００３４】
＜仮硬化及び本硬化について＞
図４Ａ〜図４Ｃは、媒体上に着弾したＵＶインク（ドット）の形状と、ＵＶの照射タイミングの説明図である。なお、図４Ａ、図４Ｂ、図４Ｃの順で照射タイミングが遅くなっている。  
ドット形成直後にドットの広がりを止めるようにＵＶを照射した場合、例えば図４Ａのようになる。この場合、滲みを抑制することができるが、ドットによって構成される媒体表面の凹凸が大きくなるため光沢が悪化する。  
一方、ドットが十分に広がってから初めてＵＶを照射した場合、例えば図４Ｃのようになる。この場合、光沢は良好になる。但し、他のインクとの間で滲みが生じやすくなる。
【００３５】
本実施形態のプリンター１では、照射ユニット４０として、仮硬化用照射部４２と本硬化用照射部４４とを備えており、ドット形成後に仮硬化、本硬化の２段階の硬化を行なっている。以下、各硬化の機能について説明する。  
仮硬化の機能は、ドット間の滲みを防止することである。第１仮硬化の際にドットに照射されるＵＶの照射量は少なく、第１仮硬化の後においてもＵＶインク（ドット）は完全に固化せず広がり続けている。但し、仮硬化が行われた後では、ドットが接触しても滲みの問題が起こりにくくなる。  
本硬化の機能は、インクを完全に固化させることである。この本硬化のＵＶの照射量は、仮硬化でのＵＶの照射量よりも多い。すなわち、仮硬化の照射量＜本硬化の照射量となっている。
【００３６】
＜比較例の課題と本実施形態の概略＞
（第１比較例）
図５は、カラーインクだけで印刷した場合を示す説明図である。なお、以下の説明において、各色のカラーインクによって形成されたドットのことをカラードットともいう。  
ＵＶインクを用いた場合、通常の水性インクのドットと比較して、ドットによる表面の凹凸が大きい（例えば５〜１０μｍ程度の高低差の凹凸がある）。通常の水性インクの場合、ドットの凹凸よりも紙の凹凸の方が大きいので、ドットによる表面の凹凸は目立たない。これに対し、ＵＶインクの場合、カラーインクだけで印刷すると光沢のムラが生じることになり、これにより画質が劣化する（課題１とする）。そこで、このような課題１に対して、カラードットの形成されていない部分（画像以外の領域）にクリアインクによるドット（以下、クリアドット）を形成するという対処が考えられる。  
また、ドット密度の変化で画像の濃淡を表現するため、画像の濃淡に応じて表面の凹凸も異なる（課題２とする）。図５中の厚みのある部分が画像の濃い部分を示し、薄い部分が画像の淡い部分を示している。このような課題２に対して、画像形成後に全面にクリアインクを塗布するという対処が考えられる。
【００３７】
（第２比較例）
第２比較例は、上述した課題１に対処した比較例である。  
図６は、カラードットを形成しない画素にクリアドットを形成した場合を示す概略図である。図中四角の升目は、媒体上の画素を示している。また、丸印はドットを示しており、ハッチングされたドットは、カラードット、ハッチングされていないドットは、クリアドットをそれぞれ示している。  
通常、ドットは、図６に示すように媒体上の画素よりも大きく形成される。なぜなら、隙間無く塗り潰し画像を印刷できるようにするためである。この比較例では、カラードットを形成していない画素に、クリアドットを形成している。  
しかし、このような場合、図中の黒で塗り潰した部分で、滲みの問題が生じる（課題３とする）。
【００３８】
（本実施形態の概略１）
図７は、本実施形態のドットの形成位置の説明図である。図７（及び後述する図８）においても図中四角の升目は、媒体上の画素を示している。また、丸印はドットを示しており、ハッチングされたドットは、カラードット、ハッチングされていないドットは、クリアドットをそれぞれ示している。  
本実施形態では、前述した第２比較例の課題３に対処するため、ドット形成時、カラードットと接触しないようにクリアドットを形成する。例えば、図７に示すようにカラードットを形成する画素と隣接する画素にはクリアドットを形成しないようにする。  
なお、ドット形成後にはドットの径が拡張するが、本実施形態では、仮硬化前においてもカラードットとクリアドットは非接触になるようにしている。これにより、光沢を均一にしつつ、滲みを抑制することができる。
【００３９】
また、図８は、本実施形態の本硬化時のドットの説明図である。  
仮硬化後であれば、本硬化前にカラードットとクリアドットが拡張して接触しても、インクが滲みにくい。つまり、仮硬化後ではカラードットとクリアドットが接触しても図６のような滲みの問題が発生しない。そこで、本実施形態では、この間（仮硬化から本硬化までの間）にカラードットとクリアドットが接触するようにコントローラー６０が仮硬化のＵＶ照射量を調整している。このように、仮硬化時のＵＶ照射量を制御すれば、仮硬化前にカラードットとクリアドットが非接触状態でも、本硬化時に接触状態にすることが可能である。これにより、印刷画像の光沢をより均一にできる。
【００４０】
（第３比較例）
第３比較例は、前述した課題２に対処した比較例である。  
図９、図１０は、画像形成後に全面にクリアインクを塗布した場合を示す説明図である。  
図９では、図５の画像形成後に、全面にクリアインクを塗布している。図９のように全面に均一にクリアインクを塗布しても、媒体に直接に多量のクリアインクを塗布すると、インクが水平方向（面方向）に移動し、インクの凝集が起こる。  
このため、図１０のようになり、画像以外の領域では、クリアインクが凝集し、均一な光沢は得られない（課題４とする）。
【００４１】
（本実施形態の概略２）
図１１は本実施形態の概略説明図である。  
本実施形態では、第３比較例の課題４に対処するため、カラードットの形成されていない部分（画像以外の領域）にクリアドットを形成する。その後、カラードットとクリアドットを仮硬化し、仮硬化後、全面にクリアインクを塗布する。  
このように、本実施形態では、仮硬化されたインクの上にクリアインクを塗布しているので、図１０のような凝集が生じにくくなる。このように、クリアインクの塗布によって、高低差（凹凸）を小さくすることができる。これにより光沢を良好にすることができる。
【００４２】
＜第１実施形態の印刷処理について＞
図１２は、プリンター１の印刷時にプリンタードライバーが行なう処理のフロー図である。  
プリンタードライバーは、アプリケーションプログラムから画像データを受け取り、プリンター１が解釈できる形式の印刷データに変換し、印刷データをプリンターに出力する。アプリケーションプログラムからの画像データを印刷データに変換する際に、プリンタードライバーは、解像度変換処理・色変換処理・ハーフトーン処理・接触ドット検出処理・クリアドット除去処理・ラスタライズ処理・コマンド付加処理などを行う。以下に、プリンタードライバーが行う各種の処理について説明する。
【００４３】
解像度変換処理は、アプリケーションプログラムから出力された画像データ（テキストデータ、イメージデータなど）を、紙に印刷する際の解像度（印刷解像度）に変換する処理である。例えば、印刷解像度が７２０×７２０ｄｐｉに指定されている場合、アプリケーションプログラムから受け取ったベクター形式の画像データを７２０×７２０ｄｐｉの解像度のビットマップ形式の画像データに変換する。なお、解像度変換処理後の画像データの各画素データは、ＲＧＢ色空間により表される多階調（例えば２５６階調）のＲＧＢデータである。
【００４４】
色変換処理は、ＲＧＢデータをＣＭＹＫ色空間にＣｌ平面が追加されたＣＭＹＫＣｌ色空間のデータに変換する処理である。なお、ＣＭＹＫ色空間の画像データは、プリンターが有するインクの色に対応したデータであり、Ｃｌ平面の画像データは、ＣＭＹＫ平面の画像データで画像の無い領域に画像があることを示すデータである。言い換えると、プリンタードライバーは、ＲＧＢデータに基づいて、ＣＭＹＫ平面の画像データで画像の無い領域に画像があることを示すデータを生成する。また、Ｃｌ平面の画像データの階調値は、ＣＭＹＫ平面の画像データの平均階調値である。
【００４５】
この色変換処理は、ＲＧＢデータの階調値とＣＭＹＫデータの階調値とを対応づけたテーブル（色変換ルックアップテーブルＬＵＴ）に基づいて、行われる。なお、色変換処理後の画素データは、ＣＭＹＫ色空間により表される２５６階調のＣＭＹＫデータである。
【００４６】
ハーフトーン処理は、高階調数のデータを、プリンターが形成可能な階調数のデータに変換する処理である。例えば、ハーフトーン処理により、２５６階調を示すデータが、２階調を示す１ビットデータや４階調を示す２ビットデータに変換される。ハーフトーン処理では、ディザ法・γ補正・誤差拡散法などが利用される。ハーフトーン処理されたデータは、印刷解像度（例えば７２０×７２０ｄｐｉ）と同等の解像度である。ハーフトーン処理後の画像データでは、画素ごと１ビット又は２ビットの画素データが対応しており、この画素データは各画素でのドットの形成状況（ドットの有無、ドットの大きさ）を示すデータになる。なお、ハーフトーン処理後のＣＭＹＫＣｌ色空間の画像データのうちのＣｌ平面の画像データは、各画素でのクリアドットの形成状況を示すデータである。
【００４７】
接触ドット検出処理は、Ｃｌ平面の画像データを用いて、カラードットと接触するクリアドットを検出する処理である。以下、その手法について説明する。  
まず、プリンタードライバーは、各色のカラードットの大きさを決定する。なお、本実施形態では、色ごとにドットの大きさが異なる。なぜなら、ドット形成後から仮硬化までの時間が異なるからである。例えば、図２の場合、ブラックヘッドＫによってドットを形成してから仮硬化用照射部４２で仮硬化を行なうまでの時間は、イエローヘッドＹによってドットを形成してから仮硬化用照射部４２で仮硬化を行なうまでの時間よりも長くなる。つまり、同じ量のインクを吐出する場合、ブラックインクの方がイエローインクのよりも、広がり時間が長くなりドットが大きくなる。
【００４８】
次に、プリンタードライバーは、クリアドットの大きさを決定する。クリアドットの大きさは、カラードットの大きさと同様に、ドット形成後から仮硬化までの時間に基づいて決定される。  
さらに、プリンタードライバーは、カラードットと隣接するクリアドットの位置を検出する。  
そして、プリンタードライバーは、検出されたクリアドットと、隣接するカラードットとの距離を算出し、算出された距離と、カラードット及びクリアドットの大きさとに基づいて、接触／非接触を判定する。
【００４９】
クリアドット除去処理は、カラードットと接触するクリアドットを除去する処理である。このクリアドット除去処理では、カラードットと接触するクリアドットが形成されないようにＣｌ平面の画像データを修正する。具体的には、クリアドットを形成することを示す画素データを、ドット形成しないことを示す画素データに置換する。
【００５０】
ラスタライズ処理は、マトリクス状に並ぶ画素データを、プリンター１に転送すべきデータ順に、画素データごとに並べ替える。例えば、各ノズル列のノズルの並び順に応じて、画素データを並べ替える。
【００５１】
コマンド付加処理は、ラスタライズ処理されたデータに、印刷方式に応じたコマンドデータを付加する処理である。コマンドデータとしては、例えば媒体の搬送速度を示す搬送データなどがある。  
これらの処理を経て生成された印刷データは、プリンタードライバーによりプリンター１に送信される。
【００５２】
図１３は、本実施形態のプリンター１による印刷処理のフロー図である。  
まず、コントローラー６０は、媒体の搬送中に、印刷データに基づき、カラーインク用ヘッドの各ヘッドからカラーインクを吐出させ、画像の形成領域にカラードットを形成する（Ｓ１０１）。こうして、カラードットから構成される画像を印刷する。
【００５３】
次に、コントローラー６０は、クリアインク用の第１ヘッドＣＬ１によって、画像の形成されていない領域にクリアインクを吐出させる。こうして画像以外の領域にクリアドットを形成する（Ｓ１０２）。このとき、カラードットとクリアドットは接触していない状態（図７参照）となっている。これは、プリンタードライバーによって印刷データが作成される際に、前述した接触ドット検出処理及びクリアドット除去処理が行なわれて、カラードットと接触するクリアドットが除去されているからである。このように、本実施形態では、ドット形成時にカラーインクとクリアインクを接触しないようにしているので、図６のような画像の滲みが発生しない。
【００５４】
次に、コントローラー６０は、仮硬化用照射部４２によってＵＶを照射させ、カラードットとクリアドットの仮硬化を行なう（Ｓ１０３）。この仮硬化の際においてもカラードットとクリアドットは接触していない。これは、プリンタードライバーの接触ドット検出処理において、カラードットと接触するクリアドットを検出する際に、仮硬化におけるドットの大きさが考慮されているからである。この仮硬化によって、ドット間の滲みが抑制される。また、仮硬化後もドットの径が拡張するので、光沢を良好にすることができる。なお、コントローラー６０は、後述する本硬化の際に図８のようにカラードットとクリアドットが接触する状態となるように、仮硬化のＵＶの照射量を制御する。
【００５５】
そして、仮硬化の後、コントローラー６０は、クリアインク用の第２ヘッドＣＬ２によって媒体の全面にクリアインクを塗布する（Ｓ１０４）。このクリアインク用の第２ヘッドＣＬ２は、前述したように他のヘッドよりもノズル数が多くなっている。これにより、塗布前に多少凹凸があっても表面が均一になる。なお、既に仮硬化したカラードット（及びクリアドット）の上にクリアインクが塗布されるので、インクの滲みの問題はない。
【００５６】
また、このとき、既に仮硬化したクリアドットが楔（くさび）のように機能し、全面に塗布されたクリアインクが水平方向（面方向）に移動しにくくなり、凝集しにくくなっている。よって、図１０のような凝集が生じにくくなる。このように、クリアインクを全面に塗布することによって、ドットの高低差（凹凸）を小さくすることができる。これにより光沢を良好にすることができる。また、クリアインクが図１０のように凝集しないので、光沢をより均一にできる。
【００５７】
その後、コントローラー６０は、本硬化用照射部４４によってＵＶを照射させ、本硬化を行う（Ｓ１０５）。本硬化では、媒体の全面に塗布されたクリアインク上にＵＶが照射される。この本硬化によって、各ドットは完全に固化する。なお、本硬化時には、図８のようにカラードットとクリアドットが接触した状態になっている。これは、コントローラー６０が、本硬化の際にカラードットとクリアドットとが接触するように、仮硬化用照射部４２のＵＶの照射量を制御しているからである。  
そして、本硬化の後、媒体が排紙される。
【００５８】
（第１実施形態のまとめ）
第１実施形態では、カラーインク用ヘッドからカラーインクを吐出してカラードットから構成される画像を印刷するとともに、クリアインク用の第１ヘッドＣＬ１からクリアインクを吐出して画像以外の領域にクリアドットを形成している。そして、仮硬化用照射部４２からカラードットとクリアドットに仮硬化のＵＶ照射を行なった後、第２クリアヘッドＣＬ２により全面にクリアインクを塗布し、本硬化用照射部４４から全面に塗布されたクリアインクに本硬化のＵＶ照射を行なっている。これにより、表面の高低差（凹凸）を小さくすることができ、またクリアインクの凝集を生じにくくすることができる。よって、均一な光沢を得ることができる。
【００５９】
また、画像以外の領域にクリアドットを形成する際に、カラードットと接触しないように、クリアドットを形成している。そして、カラードットとクリアドットが接触する前に、仮硬化用照射部４２からカラードドット及びクリアドットにＵＶを照射して仮硬化を行っている。これにより、インクの滲みによる画質劣化を抑制することができる。
【００６０】
また、カラードットとクリアドットが接触する前に、仮硬化用照射部４２によりドットの径が拡張できる照射量で仮硬化を行ない、カラードットとクリアドットが接触した後に、更に本硬化用照射部４４により本硬化を行なっている。これにより、ドットを拡張させた後にドットを固化しているので、カラードットとクリアドットとの隙間が減少し、光沢をより均一にすることができる。なお、カラードットとクリアドットが接触する前に仮硬化を行なっているため、カラードットとクリアドットが接触してもインクの滲みの問題は生じない。
【００６１】
また、プリンタードライバーによって、仮硬化時におけるカラードットの大きさと、クリアドットの大きさが考慮されて、クリアドットを形成する領域が決定されている。これにより、仮硬化時にドットが接触しないようにすることができる。
【００６２】
また、第１実施形態では、搬送方向の上流側から順に、カラーインク用ヘッド、クリアインク用の第１ヘッドＣＬ１、仮硬化用照射部４２、クリアインク用の第２ヘッドＣＬ２、本硬化用照射部４４が設けられているので、媒体を搬送方向に搬送させるのに従って、画像の印刷、画像以外の領域のクリアドットの形成、仮硬化、全面のクリアインクの塗布、本硬化と順に行なうことができる。
【００６３】
また、第２ヘッドＣＬ２のノズルピッチは、カラーインク用ヘッド若しくは第１ヘッドＣＬ１のノズルピッチよりも狭くなっている。これにより、全面にクリアインクを塗布する際に、高い密度でドットを形成することができ、媒体の表面に多少凹凸がある場合でも表面を均一にできる。
【００６４】
＝＝＝第２実施形態＝＝＝
図１４は、第２実施形態の印刷領域周辺の概略図である。第１実施形態（図２）と比較すると、各カラーインク用ヘッドの後（搬送方向下流側）にそれぞれ仮硬化用の照射部が設けられている。なお、図１４において図２と同一構成の部分には同一符号を付し説明を省略する。  
第２実施形形態の照射ユニット４０は、仮硬化用照射部４２ａ〜４２ｅ、本硬化用照射部４４を有している。  
仮硬化用照射部４２ａ〜４２ｅは、ドット間の滲みを防止するためのＵＶを照射するためのものである。ただし、仮硬化後において、ドットは完全に固化しておらず、広がり続けている。仮硬化用照射部４２ａ〜４２ｅは、それぞれ、ブラックインクヘッドＫ、シアンインクヘッドＣ、マゼンダインクヘッドＭ、イエローインクヘッドＹ、第１クリアインクヘッドＣＬ１の搬送方向下流側に設けられている。つまり、第２実施形態では、インク色ごとに仮硬化用照射部が設けられている。  
また、第１実施形態と同様に、仮硬化用照射部４２ａ〜４２ｅは、ＵＶ照射の光源としてＬＥＤを備えている。  
なお、本硬化用照射部４４については第１実施形態と同じである。
【００６５】
＜第２実施形態の印刷動作について＞
次に、第２実施形態の印刷動作について説明する。  
先ずコントローラー６０は、媒体がブラックインクヘッドＫの下を通る際にブラックインクヘッドＫからブラックインクを吐出させる。その後、媒体が仮硬化用照射部４２ａを通る際にＵＶを照射させ、ブラックインクヘッドＫによって形成されたドットの仮硬化を行なう。シアンインク、マゼンダインク、イエローインクについても同様にドット形成及びＵＶ照射を行なう。
【００６６】
第２実施液体では、このように、カラーインクによるカラードットが色毎に形成された直後に、対応する仮硬化用照射部からそれぞれＵＶ照射が行なわれる。  
そして、コントローラー６０は、クリアインク用の第１ヘッドＣＬ１によって画像以外の領域にクリアドットを形成させる。このときも第１実施形態と同様にクリアドットとカラードットが接触しないようにクリアドットを形成する。そして、カラードットとクリアドットが接触する前に、仮硬化用照射部４２ｅによって、各ドットにＵＶを照射させる。  
その後、第２ヘッドＣＬ２によって全面にクリアインクを塗布し、本硬化用照射部４４によって、媒体に形成されたドットにＵＶを照射して本硬化させる。
【００６７】
第２実施形態では、第１実施形態と同様に、クリアインク用の第１ヘッドＣＬ１が、図７のようにドットを形成する。これを実現するため、第２実施形態のプリンタードライバーは、前述の「接触ドット検出処理」のときに、クリアドット形成後の仮硬化時のドットの大きさを算出する。なお、第２実施形態では、プリンタードライバイーは、クリアドット形成後の仮硬化時のカラードットの大きさを算出する際、ドット形成後から仮硬化までの時間ではなく、カラードット形成後の各仮硬化時のＵＶの照射量も考慮する。例えば、カラードット形成後の仮硬化時のＵＶの照射量が多いほど、クリアドット形成後の仮硬化時のカラードットの大きさは、小さくなるように算出される。
【００６８】
この第２実施形態においても、第１実施形態と同様の効果を得ることができる。  
また、第２実施形態では、各カラードットが形成された直後に仮硬化が行なわれるため、ドットの径の拡張の速度が遅くなるので、ドットの大きさの算出が容易になる。
【００６９】
（第２実施形態のまとめ）
第２実施形態では、カラーインク用ヘッド及びクリアインク用ヘッドの各ヘッドの搬送方向下流側に仮硬化用照射部４２ａ〜４２ｅがそれぞれ設けられており、各色のカラードット及びクリアドットを形成した直後に、対応する仮硬化用照射部から仮硬化のＵＶ照射を行なっている。これにより、画像領域のカラードットの形成及び仮硬化のＵＶ照射と、画像以外の領域のクリアドットの形成及び仮硬化のＵＶ照射がそれぞれ行なわれている。そして、第２クリアヘッドＣＬ２によって全面にクリアインクを塗布し、全面に塗布されたクリアインクに本硬化用照射部４４から本硬化のＵＶ照射を行なっている。よって、第２実施形態においても、表面の高低差（凹凸）を小さくすることができ、またクリアインクの凝集を生じにくくすることができる。よって、均一な光沢を得ることができる
また、第２実施形態においても、カラードットとクリアドットは接触しないように形成されている。そして、カラードットとクリアドットが接触する前に、対応する仮硬化用照射部４２ａ〜４２ｅからカラードドット及びクリアドットにそれぞれ仮硬化用のＵＶを照射して仮硬化を行っている。これにより、インクの滲みによる画質劣化を抑制することができる。
【００７０】
また、第２実施形態では、カラードットとクリアドットが接触する前に、仮硬化用照射部４２ａ〜４２ｅによりドットの径が拡張できる照射量で仮硬化を行ない、カラードットとクリアドットが接触した後に、更に本硬化用照射部４４により本硬化を行なっている。これにより、ドットを拡張させた後にドットを固化しているので、カラードットとクリアドットとの隙間が減少し、光沢をより均一にすることができる。なお、カラードットとクリアドットが接触する前に仮硬化を行なっているため、カラードットとクリアドットが接触してもインクの滲みの問題は生じない。
【００７１】
また、第２実施形態においても、プリンタードライバーによって、仮硬化時における各色のカラードットの大きさと、クリアドットの大きさが考慮されて、クリアドットを形成する領域が決定されている。これにより、仮硬化時にドットが接触しないようにすることができる。
【００７２】
また、第２実施形態においても、画像以外の領域にクリアドットを形成するクリアインク用の第１ヘッドＣＬ１とは別に、全面にクリアインクを塗布する第２ヘッドＣＬ２が設けられており、また、第２ヘッドＣＬ２よりも搬送方向下流側に仮硬化用照射４２ａ〜４２ｅとは別の本硬化用照射部４４が設けられている。これにより、第２実施形態では、媒体を搬送方向に搬送させるのに従って、各色のカラードット毎の形成及び仮硬化、画像以外の領域へのクリアドットの形成及び仮硬化、全面へのクリアインクの塗布、本硬化を順に行なうことができる。
【００７３】
また、第２実施形態においても、第２ヘッドＣＬ２のノズルピッチは、カラーインク用ヘッド若しくは第１ヘッドＣＬ１のノズルピッチよりも狭くなっている。これにより、全面にクリアインクを塗布する際に、高い密度でドットを形成することができ、媒体の表面に多少凹凸がある場合でも表面を均一にできる。
【００７４】
＝＝＝第３実施形態＝＝＝
図１５Ａ〜図１５Ｃは、第３実施形態の印刷領域周辺の概略図と、印刷動作の説明図である。なお、これらの図において、図２と同一構成の部分には同一符号を付し説明を省略する。第３実施形態では画像以外の領域にクリアインクを吐出するヘッドと全面にクリアインクを塗布するヘッドを兼用するようにしている。また、仮硬化を行なう照射部と本硬化を行なう照射部を兼用するようにしている。なお、第３実施形態のプリンター１では、上流側搬送ローラ２３Ａ及び下流側搬送ローラ２３Ｂの回転を反転させることによって、媒体を搬送方向の逆方向にも搬送（逆搬送）させることができるようになっている。
【００７５】
＜第３実施形態と第１実施形態の構成の相違点について＞
第３実施形態では、クリアインク用のヘッドとして図２と同じ第２ヘッドＣＬ２が設けられており、ＵＶの照射部として、仮硬化と本硬化を兼用する照射部４５が設けられている。  
第２ヘッドＣＬ２は、カラーインク用ヘッドよりも搬送方向下流側に設けられている。なお、前述したように第２ヘッドＣＬ２は上流側ヘッドＣＬ２ａ及び下流側ヘッドＣＬ２ｂを有している。これらの各ヘッドのノズルの配置は図３Ｂと同じである。この上流側ヘッドＣＬ２ａ及び下流側ヘッドＣＬ２ｂの一方は、後述するように、画像を形成しない領域にクリアドットを形成する場合と全面にクリアインクを塗布する場合とに兼用して用いられる。  
照射部４５は、第２ヘッドＣＬ２よりも搬送方向下流側に設けられている。なお照射部４５は、ＵＶ照射の光源として、例えばＬＥＤを有しており、前述した実施形態と同様に、ＵＶの照射量を変えることが出来る。なお、第３実施形態の照射部４５は、照射量を変えることによって仮硬化と本硬化を兼用して行なう。
【００７６】
＜第３実施形態の印刷時の動作について＞
先ず図１５Ａに示すように、コントローラー６０は、媒体を搬送方向に搬送させるとともに、媒体がカラーインク用ヘッドの下を通る際にカラーインク用の各ヘッドから順次インクを吐出させる。これにより、カラードットから構成される画像が媒体上に印刷される。  
また、コントローラー６０は、媒体がクリアインク用の第２ヘッドＣＬ２の下を通る際に、上流側ヘッドＣＬ２ａと下流側ヘッドＣＬ２ｂの一方からクリアインクを吐出させ、画像以外の領域にクリアドットを形成させる。このとき、クリアドットは、前述した実施形態と同様に、カラードットと接触しないように形成される。  
なお、上流側ヘッドＣＬ２ａと下流側ヘッドＣＬ２ｂ２つのヘッドのうち、一方のヘッドは使用されない。これは、クリアドットをカラードットと同じ解像度（３６０ｄｐｉ）にするためである。
【００７７】
そして、媒体が照射部４５の下を通る際には、コントローラー６０は、照射部４５から仮硬化用のＵＶを照射させる。なお、この仮硬化の際には、前述した実施形態と同様にカラードットと、クリアドットは接触していない状態である。すなわち、カラードットと、クリアドットが接触する前に仮硬化のＵＶが照射される。また、この仮硬化の照射量は、後述する本硬化の際にカラードットとクリアドットが接触した状態となるように、コントローラー６０によって制御されている。  
仮硬化の後、図１５Ｂに示すように、コントローラー６０は、上流側搬送ローラ２３Ａ及び下流側搬送ローラ２３Ｂの回転を逆転させ、媒体を搬送方向と逆方向に搬送（逆搬送）する。この逆搬送によって、媒体はクリアインク用の第２ヘッドＣＬ２の前（搬送方向上流側）まで搬送される。
【００７８】
そして、図１５Ｃに示すように、コントローラー６０は、再度上流側搬送ローラ２３Ａ及び下流側搬送ローラ２３Ｂの回転を逆転させ、媒体を通常の搬送方向に搬送させる。そして、媒体が第２ヘッドＣＬ２の下を通る際に、第２ヘッドＣＬ２からクリアインクを吐出させ、クリアインクを媒体の全面に塗布する。このときには、クリアインク用の第２ヘッドＣＬ２の２つのヘッドの全ノズル（図３Ｂ参照）が使用される。このように、３実施形態では、全面にクリアインクを塗布する際に２個のヘッド（上流側ヘッドＣＬ２ａ、下流側ヘッドＣＬ２ｂ）を使用可能であるので、媒体全面へのドット形成（塗布）を迅速に行える。また、この場合、逆搬送しているので、ベルト２４上にある媒体に対する全面塗布しか行なわない。よって、第３実施形態では、全面塗布の際の搬送速度を速くすることができる。
【００７９】
そして、媒体が照射部４５の下を通る際に、コントローラー６０は、照射部４５から本硬化用のＵＶを照射させる。
【００８０】
なお、このように、逆搬送をすると、媒体の位置の精度が悪くなり、ドットの形成位置に誤差が生じるおそれがある。但し、逆搬送後は媒体の全面にクリアインクを塗布する処理なので、クリアドットの形成位置に誤差が生じても、画質に影響しない。
【００８１】
第３実施形態においても、第１実施形態と同様の効果を得ることができる。  
また、第３実施形態では、逆搬送することにより、クリアインク用のヘッド及びＵＶの照射部をそれぞれ１つで兼用できるので、第１実施形態と比べてプリンター１のヘッド周辺の構成要素を少なくできる。また、前述したように全面塗布の際の搬送速度を速くすることができ全面塗布に要する時間を短縮できる。
【００８２】
（第３実施形態のまとめ）
第３実施形態では、カラーインク用ヘッドからカラーインクを吐出してカラードットから構成される画像を印刷するとともに、クリアインク用の第２ヘッドＣＬ２の上流側ヘッドＣＬ２ａ、下流側ヘッドＣＬ２ｂの一方からクリアインクを吐出して画像以外の領域にクリアドットを形成している。そして、照射部４５からカラードットとクリアドットに仮硬化のＵＶ照射を行なった後、媒体を逆搬送して、第２ヘッドＣＬ２の上流側ヘッドＣＬ２ａ、下流側ヘッドＣＬ２ｂの両方を用いて全面にクリアインクを塗布し、全面に塗布されたクリアインクに照射部４５から本硬化のＵＶ照射を行なっている。これにより、第３実施形態においても、前述した実施形態と同様に、表面の高低差（凹凸）を小さくすることができ、またクリアインクの凝集を生じにくくすることができる。
【００８３】
また、第３実施形態では、画像以外の領域にクリアドットを形成する際に、カラードットと接触しないように、クリアドットを形成し、カラードットとクリアドットが接触する前に、照射部４５によりカラードドット及びクリアドットに仮硬化用のＵＶを照射している。これにより、インクの滲みによる画質劣化を抑制することができる。
【００８４】
また、第３実施形態では、カラードットとクリアドットが接触する前に、照射部４５によりドットの径が拡張できる照射量で仮硬化を行ない、媒体を逆搬送させてカラードットとクリアドットが接触した後に、更に照射部４５により本硬化を行なっている。これにより、ドットを拡張させた後にドットを固化しているので、カラードットとクリアドットとの隙間が減少し、光沢をより均一にすることができる。なお、カラードットとクリアドットが接触する前に仮硬化を行なっているため、カラードットとクリアドットが接触してもインクの滲みの問題は生じない。
【００８５】
また、第３実施形態においても、プリンタードライバーによって、仮硬化時におけるカラードットの大きさと、クリアドットの大きさが考慮されて、クリアドットを形成する領域が決定されている。これにより、仮硬化時にドットが接触しないようにすることができる。
【００８６】
また、第３実施形態では、媒体を逆搬送することにより、クリアインク用のヘッド及びＵＶの照射部をそれぞれ第２ヘッドＣＬ２及び照射部４５の１つで兼用できるので、第１実施形態と比べてプリンター１のヘッド周辺の構成要素を少なくできる。また、全面塗布の際には、第２ヘッドＣＬ２の上流側ヘッドＣＬ２ａ、下流側ヘッドＣＬ２ｂの両方を用いることにより、クリアインクの全面塗布を迅速に行なえるので、全面塗布の際の搬送速度を速くすることができ全面塗布に要する時間を短縮できる。
【００８７】
＝＝＝第４実施形態＝＝＝
前述した実施形態はラインプリンターについての実施形態であったが、第４実施形態では、媒体を搬送方向に搬送する搬送動作と、ヘッドを搬送方向と交差する方向（移動方向）に移動させつつヘッドからインクを吐出させるドット形成動作を交互に行うプリンター（シリアルプリンター）について同様の処理を行なう。なお、第４実施形態のシリアルプリンターは、後述するように、複数のカラーインクのノズル列の両側（外側）にクリアインクを吐出するノズル列が設けられている。また、第４実施形態のシリアルプリンターは、後述するように、逆搬送を行なうことができる。
【００８８】
図１６は、第４実施形態のシリアルプリンターの斜視図である。  
図１６に示すシリアルプリンターは、キャリッジ１１とヘッド３２と仮硬化用照射部４３を有している。  
キャリッジ１１は、ヘッド３２を移動方向に移動させるためのものである。また、キャリッジ１１は、ＵＶインクを収容するカートリッジを着脱可能に保持している。そしてキャリッジ１１は、キャリッジモーター（不図示）により、ガイド軸に沿って移動方向に往復移動する。  
ヘッド３２はキャリッジ１１に設けられている。そして、ヘッド３２は、キャリッジ１１の移動とともに移動方向に移動しつつ、ヘッドの各ノズルからＵＶインクを吐出する。なお、ヘッド３２の詳細については後述する。  
仮硬化用照射部４３は、印刷領域（つまりヘッド３２）よりも搬送方向下流側において、媒体幅以上の長さに亘って設けられている。なお、仮硬化用照射部４３は、ＵＶ照射の光源としてＬＥＤを有している。
【００８９】
＜第４実施形態のヘッドの構成について＞
図１７は、第４実施形態のヘッド３２の構成の説明図である。ヘッド３２の下面には、カラーインク用のノズル列として、図１７に示すように、ブラックインクノズル列Ｋと、シアンインクノズル列Ｃと、マゼンダインクノズル列Ｍと、イエローインクノズル列Ｙが移動方向の一端側から他端側に順に並んで形成されている。  
また、カラーインク用のノズル列の両側にクリアインク用のノズル列が設けられている。具体的には、ブラックインクノズル列Ｋよりも移動方向の一端側には第１クリアインクノズル列ＣＬ１´が設けられ、イエローインクノズル列Ｙよりも移動方向の他端側には第２クリアインクノズル列ＣＬ２´が設けられている。各ノズル列には、ＵＶインクを吐出するノズルが所定のノズルピッチで複数個（例えば１８０個）設けられている。
【００９０】
＜第４実施形態の印刷時の動作について＞
次に第４実施形態の印刷時の動作について説明する。なお、以下の動作の主体は第４実施形形態のプリンターのコントローラーである。  
最初のドット形成動作では、キャリッジ１１を移動方向の一端から他端（以下、往路ともいう）に移動させつつ、ヘッド３２のカラーインク用のノズルからＵＶインクを吐出させ、カラードットから構成される画像を媒体上に印刷する。  
また、この往路のドット形成動作の際に、クリアインク用のノズル列のうち、ヘッド３２の移動の上流側となる第１クリアインクノズル列ＣＬ１´からクリアインクを吐出させ画像以外の領域にクリアドットを形成する。なお、前述した実施形態と同様に、クリアドットはカラードットと接触しないように吐出される。  
その後、媒体を所定量搬送方向に搬送させる（搬送動作）。
【００９１】
そして、次のドット形成動作では、キャリッジ１１を移動方向の他端から一端（以下、復路ともいう）に移動させつつ、ヘッド３２のカラーインク用のノズルからＵＶインクを吐出させ、カラードットから構成される画像を媒体上に印刷する。  
また、復路のドット形成動作の際に、クリアインク用のノズル列のうち、ヘッド３２の移動の上流側となる第２クリアインクノズル列ＣＬ２´から、クリアインクを吐出させ画像以外の領域にクリアドットを形成する。なお、このときにも、クリアドットはカラードットと接触しないように吐出される。  
このように、往路と復路において、クリアドットを形成するのに使用するノズル列を切り替えている。
【００９２】
その後、搬送動作とドット形成動作を繰り返し行なう。そして、媒体が仮硬化用照射部４３の下まで搬送されると、仮硬化用照射部４３から仮硬化のＵＶを照射させる。この場合も前述した実施形態と同様にカラードットとクリアドットは接触していない状態である。すなわち、カラードットとクリアドットが接触する前に仮硬化のＵＶが照射される。なお、本硬化の前にカラードットとクリアドットが接触するように仮硬化の照射量が調整されている。
【００９３】
その後、媒体を搬送方向の上流側に逆搬送させる。なお、この逆搬送によって、媒体は印刷領域（即ちヘッド３２）よりも搬送方向の上流側の位置まで搬送される。そして、再度搬送方向に媒体を搬送する搬送動作と、ドット形成動作とを繰り返し行なう。なお、このときのドット形成動作は媒体の全面にクリアインクを塗布するものであり、カラーインク用のノズル列は用いられず、その両端の２つのクリアインク用のノズル列が用いられる。つまり、往路及び復路のドット形成動作において２個のクリアインクのノズル列が共に用いられる。このように２個のノズル列を使用可能であるので、ドット形成動作の時間を短縮させることができる。
【００９４】
その後、媒体が排紙される前に、本硬化用の照射部（不図示）によって本硬化のためのＵＶを媒体に照射させる。なお、第３実施形態と同様に、仮硬化用照射部４３が仮硬化と本硬化のＵＶ照射を兼用して行なうようにしてもよい。
【００９５】
このように第４実施形態の場合においても、第１実施形態と同様のクリアインクの形成及びＵＶ照射を行なうことができ、第１実施形態と同様の効果を得ることができる。
【００９６】
（第４実施形態のまとめ）
第４実施形態では、ドット形成動作と搬送動作を交互に行うプリンターにおいて、ドット形成動作の際に、ヘッド３２のカラーインク用ノズルからカラーインクを吐出してカラードットから構成される画像を印刷するとともに、クリアインク用ノズルＣＬ１´及びＣＬ２´の一方からクリアインクを吐出して画像以外の領域にクリアドットを形成している。そして、仮硬化用照射部４３からカラードットとクリアドットの仮硬化のＵＶ照射を行なった後、媒体を逆搬送して、ヘッド３２のクリアインク用ノズルＣＬ１´及びＣＬ２´を用いて全面にクリアインクを塗布し、全面に塗布されたクリアインクに本硬化のＵＶ照射を行なっている。これにより、第４実施形態においても、前述した実施形態と同様に、表面の高低差（凹凸）を小さくすることができ、またクリアインクの凝集を生じにくくすることができる。
【００９７】
また、第４実施形態では、カラードットとリアドットとが接触しないように、カラードットとクリアドットをそれぞれ形成し、カラードットとクリアドットが接触する前に、仮硬化用照射部４３からカラードドット及びクリアドットに仮硬化用のＵＶを照射して仮硬化を行っている。これにより、インクの滲みによる画質劣化を抑制することができる。
【００９８】
また、第４実施形態では、カラードットとクリアドットが接触する前に、仮硬化用照射部４３によりドットの径が拡張できる照射量で仮硬化を行ない、カラードットとクリアドットが接触した後に、本硬化のＵＶ照射を行なうようにしている。これにより、ドットを拡張させた後にドットを固化しているので、カラードットとクリアドットとの隙間が減少し、光沢をより均一にすることができる。なお、カラードットとクリアドットが接触する前に仮硬化を行なっているため、カラードットとクリアドットが接触してもインクの滲みの問題は生じない。
【００９９】
また、第４実施形態においても、プリンタードライバーによって、仮硬化時におけるカラードットの大きさと、クリアドットの大きさが考慮されて、クリアドットを形成する領域が決定されている。これにより、仮硬化時にドットが接触しないようにすることができる。
【０１００】
また、第４実施形態では、媒体を逆搬送させることにより、全面にクリアインクを塗布するのに、クリアインク用ノズルＣＬ１´及びＣＬ２´を用いることができる。言い換えると、画像以外の領域にクリアドットを形成するノズルと、全面にクリアインクを塗布するノズルとを兼用することができる。よって、プリンターのヘッドの構成要素を少なくできる。また、全面にクリアインクを塗布する際には、クリアインク用ノズルＣＬ１´及びＣＬ２´の両方を用いることができるので、全面塗布のドット形成動作を速くすることができ全面塗布に要する時間を短縮できる。
【０１０１】
＝＝＝第５実施形態＝＝＝
前述した実施形態では、画像以外の領域にクリアインクによってクリアドットを形成していたが、第５実施形態では、画像以外の領域に背景用のインク（本実施形態ではホワイトインク）によって背景用のドットを形成している。  
図１８は、第５実施形態の印刷領域周辺の概略図である。なお、図１８において図２と同一構成に部分には同一符号を付し説明を省略する。  
図１８に示すように、第５実施形態のプリンターは、図２のクリアインク用の第１ヘッドＣＬ１の代わりに、ホワイトインクのドットを形成するためのホワイトインク用のヘッドＷ１を備えている。なお、第５実施形態においても、図２と同様にクリアインク用の第２ヘッドＣＬ２が備えられている。  
ホワイトインクは、画像の背景を印刷するためのものである。例えば、透明フィルムに文字を印刷するだけでは背景色がないと文字が見にくい。このように、透明媒体に単に画像を印刷しただけでは画像が見にくくなるので、このような場合、ホワイトインクのような背景用インクを用いる必要がある。  
他の構成は、ほぼ第１実施形態と同じである。また、プリンタードライバーの処理もほぼ第１実施形態と同じである。但し、第５実施形態では、プリンタードライバーの処理において、第１実施形態のＣｌ平面がＷ平面になる。  
第５実施形態では、第１実施形態で第１ヘッドＣＬ１によってクリアドットを形成していた部分に、ホワイトインクによるホワイトドット（背景用ドットに相当する）を形成する。
【０１０２】
図１９は第５実施形態のプリンター１による印刷処理のフロー図である。  
まず、コントローラー６０は、媒体の搬送に応じてカラーインク用ヘッドの各ヘッドからカラーインクを吐出させ、カラーインクによって画像の形成領域にカラードットを形成する（Ｓ２０１）。こうして、カラードットから構成される画像を印刷する。  
次に、コントローラー６０は、ホワイトインク用のヘッドＷ１によってカラーインクで画像の形成されていない領域にホワイトインクを吐出させる。こうして画像以外の領域にホワイトドットを形成する（Ｓ２０２）。このとき、カラードットとホワイトドットは接触していない状態（図７参照）となっている。これは、プリンタードライバーによって印刷データが作成される際に、前述した接触ドット検出処理及びクリアドット除去処理が行なわれて、カラードットと接触するホワイトドットが除去されているからである。このように、本実施形態では、ドット形成時にカラーインクとホワイトインクを接触しないようにしているので、図６のような画像の滲みが発生しない。
【０１０３】
次に、コントローラー６０は、仮硬化用照射部４２によってＵＶを照射させ、カラードットとホワイトドットの仮硬化を行なう（Ｓ２０３）。この仮硬化のＵＶの照射の際においてもカラードットとホワイトドットは接触していない。これは、プリンタードライバーの接触ドット検出処理において、カラードットと接触するクリアドットを検出する際に、仮硬化におけるドットの大きさが考慮されているからである。この仮硬化によって、ドット間の滲みが抑制される。また、仮硬化後もドットの径が拡張するので、光沢を良好にすることができる。なお、コントローラー６０は、後述する本硬化の際に図８のようにカラードットとホワイトドットが接触する状態となるように、仮硬化の照射量を制御する。
【０１０４】
そして、仮硬化の後、コントローラー６０は、クリアインク用の第２ヘッドＣＬ２によって媒体の全面にクリアインクを塗布する（Ｓ２０４）。このクリアインク用の第２ヘッドＣＬ２は、前述したように他のヘッドよりもノズル数が多くなっている。これにより、塗布前に多少凹凸があっても表面が均一になる。なお、既に仮硬化したカラードット（及びホワイトドット）の上にクリアインクが塗布されるので、インクの滲みの問題はない。
【０１０５】
また、このとき、既に仮硬化したホワイトドットが楔（くさび）のように機能し、全面に塗布されたクリアインクが水平方向に移動しにくくなり、凝集しにくくなっている。よって、図１０のような凝集が生じにくくなる。このように、クリアインクを全面に塗布することによって、高低差（凹凸）を小さくすることができる。これにより光沢を良好にすることができる。また、クリアインクが図１０のように凝集しないので、光沢をより均一にできる。
【０１０６】
その後、コントローラー６０は、本硬化用照射部４４によってＵＶを照射させ、本硬化を行う（Ｓ２０５）。本硬化では、媒体の全面に塗布されたクリアインク上にＵＶが照射される。この本硬化によって、各ドットは完全に固化する。なお、本硬化時には、図８のようにカラードットとホワイトドットが接触した状態になっている。これは、コントローラー６０が、本硬化の際にカラードットとホワイトドットとが接触するように、仮硬化用照射部４２のＵＶの照射量を制御しているからである。  
そして、本硬化が行なわれた後、媒体が排紙される。
【０１０７】
＜第５実施形態の印刷処理とトラッピング処理との違いについて＞
トラッピング処理とは、印刷対象となる印刷対象画像と、背景用の画像であって、印刷対象画像の部分が例えば無地の背景用の画像と、を重ねて印刷する場合、印刷対象画像を少し膨らませて背景用の画像と重ねるように処理することである。  
トラッピング処理を行なわない場合、例えば、媒体の伸縮等によって、重ねる位置が少しずれると、印刷対象画像と背景画像との境目に、印刷対象画像でも背景画像でもない部分（例えば無地の部分）が見えることになる。この場合、完成した画像が見苦しくなるおそれがある。トラッピング処理を行なうと、重ねる位置が少しずれてもそのような問題は起こらなくなる。
【０１０８】
但し、もし仮に本実施形態の構成でトラッピング処理を行なうと、印刷対象画像を構成するカラードットと背景用画像を構成する背景用ドット（ホワイトドット）が重なることになり、カラードットとホワイトドットとの間に滲みが生じる。  
これに対し、本実施形態では、トラッピング処理を行なわずに、カラードットとホワイトドットが接触しないようにしているので、カラードットとホワイトドットとの間に滲みが生じない。なお、本実施形態ではトラッピング処理を行なっていないが、上述したような、印刷対象画像と背景画像との境目に、印刷対象画像でも背景画像でもない部分が見えるという問題は生じにくい。これは、図８に示すように、本硬化の前に、カラードットとホワイトドット（背景用ドット）のドットの径が広がるからである。
【０１０９】
このように、第５実施形態では、カラーインク用ヘッドによってカラードットを形成することによってカラードットから構成される画像を媒体に印刷するとともに、カラードットと接触しないように、ホワイトインク用のヘッドＷ１によって画像以外の領域にホワイトドットを形成している。そして、カラードットとホワイトドットが接触する前に、仮硬化用照射部４２によってカラードドット及びホワイトドットにＵＶを照射している。これにより、均一な光沢を得つつ、インクの滲みによる画質劣化を抑制することができる。
【０１１０】
また、第５実施形態では、カラードットとホワイトドットが接触する前に、仮硬化用照射部４２によってドットの径が拡張できる照射量で仮硬化を行ない、カラードットとホワイトドットが接触した後に、本硬化用照射部４４によって本硬化を行なっている。これにより、ドット間の滲みが発生しないようにしてドットを広げることができるので光沢をより均一にすることができる。
【０１１１】
（第５実施形態のまとめ）
第５実施形態では、カラーインク用ヘッドからカラーインクを吐出してカラードットから構成される画像を印刷するとともに、ホワイトインク用のヘッドＷ１からホワイトインクを吐出して画像以外の領域に背景用のホワイトドットを形成している。そして、仮硬化用照射部４２からカラードットとホワイトドットの仮硬化のＵＶ照射を行なった後、第２クリアヘッドＣＬ２により全面にクリアインクを塗布し、全面に塗布されたクリアインクに本硬化用照射部４４から本硬化のＵＶ照射を行なっている。これにより、表面の高低差（凹凸）を小さくすることができ、またクリアインクの凝集を生じにくくすることができる。よって、均一な光沢を得ることができる。
【０１１２】
＝＝＝その他の実施形態＝＝＝
一実施形態としてのプリンター等を説明したが、上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【０１１３】
＜プリンターについて＞
前述の実施形態では、装置の一例としてプリンターが説明されていたが、これに限られるものではない。例えば、カラーフィルタ製造装置、染色装置、微細加工装置、半導体製造装置、表面加工装置、三次元造形機、液体気化装置、有機ＥＬ製造装置（特に高分子ＥＬ製造装置）、ディスプレイ製造装置、成膜装置、ＤＮＡチップ製造装置などのインクジェット技術を応用した各種の印刷装置に、本実施形態と同様の技術を適用しても良い。
【０１１４】
＜インクについて＞
前述の実施形態は、紫外線(ＵＶ)の照射を受けることによって硬化するインク（ＵＶインク）をノズルから吐出していた。しかし、ノズルから吐出する液体は、このようなインクに限られるものではなく、ＵＶ以外の他の電磁波（例えば可視光線など）の照射を受けることによって硬化する液体をノズルから吐出しても良い。この場合、仮硬化用照射部及び本硬化用照射部から、その液体を硬化させるための電磁波（可視光線など）を照射するようにすればよい。
【０１１５】
＜図７について＞
媒体にカラードットとクリアドットを形成する際に、図７のようにカラードットとクリアドットを非接触になるようにしなくてもよい。その場合、カラードットとクリアドットとの間で滲みが生じるかもしれないが、全面にクリアインクを塗布したときのインクの凝集を抑制できていれば、光沢を均一にすることはできる。
【０１１６】
＜図７の実現方法について＞
図７の状態を実現するための処理は第１実施形態で説明した方法に限られない。  
例えばプリンタードライバーが、色変換処理を行なう際、通常のＣＭＹＫ色空間に色変換してもよい。そして、ハーフトーン処理後のＣＭＹＫ色空間の画像データにおいてドット形成をしない領域を特定し、その領域にクリアドットが図７のように配置されるようにＣｌ平面の画像データを生成しても良い。
【０１１７】
＜プリンタードライバーについて＞
図１２のプリンタードライバーの処理をプリンター側で行っても良い。その場合、プリンターとプリンタードライバーをインストールしたＰＣとで印刷装置が構成される。
【０１１８】
＜クリアインクについて１＞
前述した実施形態では、画像以外のドットを形成するのに無色透明のクリアインクを用いていたが、クリアインクに限られない。例えば、媒体の表面に光沢性をもたせる半透明な加工液であっても良い。また、加工するのは光沢でなくても良い。媒体の表面の質感を調整するような加工液であっても良い。
【０１１９】
＜クリアインクについて２＞
前述した実施形態では、カラードット形成後にクリアドットを形成しているが、これに限られない。例えば、クリアドットを形成した後にカラードットを形成しても良いし、あるいは、クリアドットの形成とカラードットの形成が同時であっても良い。
【０１２０】
＜白インクについて＞
第５実施形態では、背景用のドットを形成するのにホワイトインクを用いていたが、ホワイトインクに限られない。例えば、媒体がクリーム色であれば、媒体と同じクリーム色のインクを背景用インクとしても良い。
【０１２１】
＜仮硬化後の状態について＞
前述した実施形態では図８のように仮硬化後（本硬化前）に カラードットとクリアドットが接触するようにしていたが、仮硬化後にカラードットとクリアドットが接触しなくても良い。その場合にも、インクの滲みによる画質の劣化を抑制するという効果は得られる。
【符号の説明】
【０１２２】
１  プリンター、１１  キャリッジ、２０  搬送ユニット、２３Ａ  上流側搬送ローラ、２３Ｂ  下流側搬送ローラ、２４  ベルト、３０  ヘッドユニット、３２  ヘッド、４０  照射ユニット、４２，４２ａ〜４２e，４３  仮硬化用照射部、４４  本硬化用照射部、４５  照射部、５０  検出器群、６０  コントローラー、６１  インターフェイス部、６２  ＣＰＵ、６３  メモリー、６４  ユニット制御回路、１１０  コンピューター、K  ブラックインクヘッド、C  シアンインクヘッド、M  マゼンダインクヘッド、Y  イエローインクヘッド、CL１  第１クリアインクヘッド、CL２  第２クリアインクヘッド、CL２ａ  上流側ヘッド、ＣＬ２ｂ  下流側ヘッド、Ｗ１  ホワイトインクヘッド
【図１】
2010179537.tif 000003
【図２】
2010179537.tif 000004
【図３】
2010179537.tif 000005
【図４】
2010179537.tif 000006
【図５】
2010179537.tif 000007
【図６】
2010179537.tif 000008
【図７】
2010179537.tif 000009
【図８】
2010179537.tif 000010
【図９】
2010179537.tif 000011
【図１０】
2010179537.tif 000012
【図１１】
2010179537.tif 000013
【図１２】
2010179537.tif 000014
【図１３】
2010179537.tif 000015
【図１４】
2010179537.tif 000016
【図１５】
2010179537.tif 000017
【図１６】
2010179537.tif 000018
【図１７】
2010179537.tif 000019
【図１８】
2010179537.tif 000020
【図１９】
2010179537.tif 000021